(57)【要約】【課題】本考案は、ちり取り等ゴミ拾い用具で集めたゴミ等の収納及び搬出に際し、器具への投入作業の効率化を計り、かつゴミ等袋体を器具から容易に取り外すことができ、並びに器具の折り畳み保管ができるゴミ等収納補助器具を提供する。【解決手段】本考案は、ちり取り等ゴミ拾い用具からゴミ等袋体へのゴミ等投入に際し、毀れ落ちを防ぐため、２個の四角リンク枠体１の各一辺を互いに枠体結合用ヒンジ３で結合し、器具上部に固定バー２を連結させることにより、上部開口部に直線部分を広く確保した所定大きさの三角リンク枠を形成させている。またゴミ等充填後のゴミ等袋体取り出しを容易とするため下部をＶ字状構造としている。ゴミ等袋体は前記三角リンク枠体内に差し入れ、袋体開口部を枠体の外周側に折り返し吊るし設置する。ゴミ等収納後には器具本体の折り畳み保管が可能なゴミ等収納補助器具である。【選択図】図１
0003187161.tif 000002
【実用新案登録請求の範囲】
【請求項１】
所定の大きさを有する２個の四角リンク枠体の互いの各一辺を枠体結合用ヒンジで結合した開閉可能な枠体に、器具上部に三角リンク枠を形状せしめ、かつ保持させるための固定バーを有する折り畳み可能なゴミ等収納用補助器具。
【考案の詳細な説明】
【技術分野】
【０００１】  本考案は、ゴミ等を容易かつ効率的に収納する折り畳み式器具に関するものである。
【背景技術】
【０００２】  袋体を使用したゴミ等収納には作業の簡便化や効率化を図るため、特許文献１（登録実用新案３１１９７１８号公報）、特許文献２（登録実用新案３１２６７４１号公報）、特許文献３（登録実用新案３１８３６９２号公報）に開示されているように装着袋体上部を開口状態に維持する器具が種々提案されている。【０００３】  器具保管に関し特許文献１（登録実用新案３１１９７１８号公報）及び特許文献２（登録実用新案３１２６７４１号公報）で提案されている器具は一体構造となっているため、積み立て保管が提案されている。また特許文献３（登録実用新案３１８３６９２号公報）の器具は一体構造若しくは分解可能構造となっているため積み立て保管、若しくは分解保管が提案されている。
【先行技術文献】
【０００４】
【特許文献１】  登録実用新案３１１９７１８号公報
【特許文献２】  登録実用新案３１２６７４１号公報
【特許文献３】  登録実用新案３１８３６９２号公報
【考案の概要】
【考案が解決しようとする課題】
【０００５】  器具保管に関し保管スペースを少なくする場合、前記特許文献１、２に提示されている器具は分解できない一体構造のため積み上げ方式となる、前記特許文献３では器具の各リンクが溶着または差し込み構造となっているため、積み上げるか、若しくは各リンクをコーナー継手から外して分解する必要がある。分解保管作業は器具の出し入れが頻繁な場合には煩雑であり現実的ではない。いずれにしろ前記特許文献１，２，３に提示されている器具では一定の保管スペースを確保しなければならない。【０００６】  前記特許文献１，２，３に提示されている器具は主に積み上げ保管となるため、運搬時や移動時にはかさばり、ハンドリングが容易ではない。【０００７】  そこで本考案は、特許文献３に開示されている構造を溶着また差し込み方式とせず、器具保管スペースの縮小、並びに器具保管の簡易化と運搬移動の容易化を図るため、折り畳み方式を特徴とするゴミ等収納補助器具を提案したものである。
【課題を解決するための手段】
【０００８】  本考案はちり取り等ゴミ拾い用具からゴミ等袋体へのゴミ等の投入に際し、毀れ落ちを防止しかつ投入容易化を計るため、２個の四角リンク枠体の各一辺を互いに枠体結合用ヒンジで結合し、上部開口部に固定バー１本を備えることにより、器具上部の開口部に直線部分を広く確保した所定大きさを有する三角リンク枠形状を作り出している。また器具下部はゴミ等袋体の取り出しを容易とするためＶ字状形状をなす折り畳み構造を特徴とするゴミ等収納補助器具である。【０００９】  折り畳まれた器具を開き、備え付けの固定バー片端を固定バー取り付け金具に差し込むことにより器具上部に三角リンク枠形状を作る。ゴミ等袋体を上部三角リンク枠から差し入れ、開口部を前記リンク枠外周部に折り返すことにより、開口部が広く三角形状をなし維持されるため、種々の形状を有するちり取り等ゴミ拾い用具からのゴミ等投入を容易にしている。【００１０】  更にまた前記袋体にゴミ等を収納後、本考案補助器具本体を側方にずらすこと、若しくはゴミ等袋体を器具から側方に引き出すことにより器具と袋体を簡単に分離でき、何ら束縛を受けることなくゴミ等袋体の開口部を固縛することができる。器具保管時には固定バーを解除し、四角リンク枠体を枠体結合用ヒンジ部で折り畳むことによりコンパクトにすることができる。
【考案の効果】
【００１１】  ゴミ等の袋詰め後、四角リンク枠体固定バーを解除し、枠体結合用ヒンジ部分にて折り畳むことにより器具自体がコンパクトとなり、器具保管スペースを少なくすることが可能となる。
【考案を実施するための形態】
【００１２】  以下に本考案を実施するための形態について説明する。本器具は大別すると所定サイズを有する２個の四角リンク枠体１、片端に抜け止めを施した固定バー２、２個の枠体結合用ヒンジ３、２個の固定バー取り付け金具４から構成される。
【００１３】  ２個の四角リンク枠体１の互いの各一辺を枠体結合用ヒンジ３で結合し、四角リンク枠体１を適度な角度で保持せしめるため、固定バー２を他端の固定バー取り付け金具４に差し込み固定することにより、器具上部には四角リンク枠体１の２辺と固定バー２による三角リンク枠が形成され、ゴミ等投入口が確保される。器具の組立状態を図１に示す。また固定バー２の固定バー取り付け金具４への装着方法を詳細Ａと詳細Ｂに示す。
【００１４】  本器具は器具保管の容易化とコンパク化を計るため２個の枠体結合用ヒンジ３が取り付けられており、図２に示すように固定バー２片端を固定バー取り付け金具４から外すことにより四角リンク枠体１を閉じ、折り畳むことができる構造となっている。
【００１５】  以下、図３から図５に従って実施例を説明する。本考案のゴミ等収納補助器具を用いてゴミ等袋体Ｃをセットするには、図３に示すゴミ等袋体Ｃを、四角リンク枠体１と固定バー２が成す上部三角リンク枠に差し入れ、ゴミ等袋体Ｃの端部ａを前記上部三角リンク枠の外周側に折り返す。
【００１６】  ゴミ等袋体Ｃをセット後、図４に示すように開口状態のゴミ等袋体入口ｂからちり取り等ゴミ拾い用具Ｅのゴミ等Ｄを袋体内に投入する。ゴミ等袋体Ｃに所定量のゴミ等を充填した後には、前記上部三角リンク枠外周部に折り返してあるゴミ等袋体Ｃの端部ａを外し、図５に示すように本器具を上方向に持ち上げることなく、ゴミ等袋体Ｃを側方から引き出すか、若しくは本器具を側方にずらすことにより、ゴミ等袋体Ｃと本器具を引き離し、ゴミ等袋体Ｃの端部ａを容易に固縛し収納完了とする。
【００１７】  本器具の収納は図２に示すように、固定バー２を固定バー取り付け金具４の片端から外し、四角リンク枠体１の枠体結合用ヒンジ３を閉じることにより容易に折り畳むことができる。また再使用する場合には収納時とは逆の手順により器具を容易に展開することができる。
【００１８】  本考案の本器具は軽量かつコンパクトであるため移動や運搬等の取り扱いが容易であり、また本体の折り畳みが可能であるため保管スペースが少なくてよい利点がある。
【００１９】  なお、本考案でゴミ等袋体Ｃに収納するゴミ等Ｄとは、土嚢、落葉、生活ゴミ、小さな物品等あらゆる小片で廃棄または保管すべき対象を包含したものとする。
【図面の簡単な説明】
【００２０】
【図１】  本考案の全体図。
【図２】  本考案の折り畳み図。
【図３】  本考案のゴミ等袋体設置の説明図。
【図４】  本考案の実施形態の全体図。
【図５】  本考案からのゴミ等袋体取り出し実施形態の全体図。
【符号の説明】
【００２１】    １  四角リンク枠体
２  固定バー
３  枠体結合用ヒンジ
４  固定バー取り付け金具
【図１】
0003187161.tif 000003
【図２】
0003187161.tif 000004
【図３】
0003187161.tif 000005
【図４】
0003187161.tif 000006
【図５】
0003187161.tif 000007